(57)【特許請求の範囲】
【請求項１】
居住空間の容積を減少させるため天井部側に浮遊させておく、ヘリウムガスを充填させるための気体充填物であって、
任意の箇所に気体を抽入し、排出するための気体注入口を備えており、前記気体充填物と連結した線状部材が固定手段により居住空間の壁面下側部、又は床に固定されていることを特徴とする気体充填物。
【請求項２】
前記気体充填物は外側表面にアルミニウムが蒸着されていることを特徴とする請求項１に記載の気体充填物。
【発明の詳細な説明】
【技術分野】
【０００１】
本発明は、居住空間の容積を小さくする（言い換えると、暖房器具等で暖めるべき空間を少なくする）ことで暖房器具等を使用した際の暖房効果を高めるため、居住空間の天井側に設置する気体充填物に関する。
【背景技術】
【０００２】
暖房器具等から排出される暖かい空気は比重が小さいため、暖房器具を稼働させると、まず部屋内の上側部に溜まり、その後暖かい空気は、次第に部屋内の下側部まで拡張してくる。このため通常は居住空間の下側部にいる人が、暖房器具を稼働させてから暖かさを感じるまでに時間が掛かってしまうという問題があった。即ち暖房効果が発揮されにくく、省エネでは無いという問題があった。そのため、暖房効果を高めるために居住空間の上側部に溜まった暖かい空気を掻き回す目的を持った送風機を設置するような試みも行われていた。
【０００３】
特許文献１には、「従来、冷暖房機の効果は、温熱や冷風が部屋の隅々から天井へと人が通らないところまで行くので、暖まったり涼んだりするのに、時間がかかったり、期待する効果が十分なかったり、その割には、無駄にエネルギーだけを浪費していた。」という課題を解決するために、「所定の形状の平面体の、所定の場所に上部を内側に曲げる横の折れ目部と内側や外側に曲げる縦の折れ目部と所定の場所に上の角度調節自在の着脱装具を付けて冷暖房機の出す温熱や冷房を効率よく集め囲う簡単操作の自由自在角度調節型折りたたみ式冷暖房効果アップ装置（特許文献１：請求項１）。」が開示されている。
【先行技術文献】
【特許文献】
【０００４】
【特許文献１】特開２００７−２１２１１７号公報
【発明の概要】
【発明が解決しようとする課題】
【０００５】
特許文献１に係る「冷暖房効果アップ装置（特許文献１：発明の名称）」は、要するに、プラスチック板、プラスチックダンボール、普通のダンボール、木材等を部屋の中に囲いのように設置して、冷暖房機の効力を部屋の隅に行く前に遮り、人がいる場所に効率よく集中させることによって冷暖房効果を得ることができるものである。プラスチック板、プラスチックダンボール、普通のダンボール、木材等を部屋の中に囲いのように設置するので、確かに居住空間を狭くすることで暖房効果が得られるものの、囲いによって人がいる場所が囲まれてしまうので、部屋の中にいる人が圧迫感を伴うもので好ましくない。
【０００６】
かかる状況を踏まえて、出願人らは省エネ効果という目的を達成すべく鋭意研究開発を行った結果、部屋の中にいる人が圧迫感を感じないように、天井側の居住空間の容積を減少させることによる暖房効果を高める本発明をするに至ったのである。本発明の目的は、部屋の中にいる人が圧迫感を感じることなく居住空間の容積を小さくする（言い換えると、暖房器具等で暖めるべき空間を少なくする）ことで暖房効果を高めるため居住空間の天井側に設置する居住空間用気体充填物を提供することにある。
【課題を解決するための手段】
【０００７】
上記課題を解決するために、請求項１に記載された発明は、居住空間の容積を減少させるため天井部側に浮遊させておく、ヘリウムガスを充填させるための気体充填物であって、
任意の箇所に気体を抽入し、排出するための気体注入口を備えており、前記気体充填物と連結した線状部材が固定手段により居住空間の壁面下側部、又は床に固定されていることを特徴とする気体充填物であることを特徴とするものである。
【０００８】
請求項２に記載された発明は、請求項１において、前記気体充填物は外側表面にアルミニウムが蒸着されている気体充填物であることを特徴とするものである。
【発明の効果】
【００１３】
本発明に係る気体充填物は、居住空間の容積を減少させるため、空気よりも比重の軽いヘリウム等の気体を充填して（空気を充填させる際は、天井、または壁面上部に固定する手段を備えている）天井側に浮遊させておく気体充填物である。気体充填物は、気体を充填させた時の形状が略直方体になるように設計されているので、各部屋の天井や壁面の上部に（気体充填物を）設置することで居住空間の容積（主に上側部）を減少させることができるため、部屋の中にいる人が圧迫感を感じることなく暖房効果を高めることができるようになった。
【００１４】
そして、気体充填物と一端が連結した線状部材の他端が、固定手段により居住空間の壁面下側部、又は床に固定されているため（空気を充填した気体充填物の場合は、一部分のみが両面テープ等で緩く固定されているため）、例えば、浮遊している気体充填物を手で軽く押すことにより移動させて、棚等から必要なものを取り出した後、気体充填物を略自動的に元の位置に復帰させることができる。さらに、気体充填物は外側表面にアルミニウムが蒸着されている。アルミニウムは赤外線（熱線）を反射させる性質を有するため、より高い暖房効果を得ることができるようになった。
【図面の簡単な説明】
【００１５】
【図１】本発明に係る気体充填物の全体図である。
【図２】気体充填物１０の使用方法を説明するための図である。
【発明を実施するための形態】
【００１６】
＜気体充填物の構造＞
以下、本発明に係る気体充填物１０の一実施形態について、図１〜図２に基づいて詳細に説明する。図１は、本発明に係る気体充填物１０の全体図である。図１（ａ）は空気よりも比重の小さい気体を充填させる気体充填物１０の全体図であり、図１（ｂ）は、空気を充填させる気体充填物１０の全体図である。
【００１７】
本発明に係る気体充填物１０は、空気よりも比重の小さい気体（ヘリウム等）、又は空気を充填することにより、居住空間の容積を減少させるため天井側に浮遊させておく（又は天井側に設置する）空気よりも比重の小さい気体（または空気）を充填させるための気体充填物である。図１に記載したように、気体充填物１０は、気体を充填させた時の形状が略直方体になるように製造されており、任意の箇所（図１においては下面側）に気体を抽入し、排出するための気体注入口が設置されている。気体充填物１０は、伸縮性の殆ど無い材料から構成されており、最大限に気体を充填させた際の形状よりも膨らむことが無いように設計されている。
【００１８】
図１（ａ）に記載したように、気体充填物１０は、気体充填物１０と連結した線状部材３０が固定手段４０により居住空間の壁面下側部、又は床に固定されている。より具体的には、気体充填物１０は、紐、ロープ、糸等の一端と繋がっており、紐、ロープ、糸等の他端は居住空間の壁面下側部、又は床に固定されている。かかる際の固定手段４０は重石でも良いし、壁面や床にフック等を設置しても良い。図１（ｂ）に記載したように、居住空間の容積を減少させるため、天井側に設置する空気を充填させる気体充填物１０は、天井、又は壁面上部に設置するための両面テープ等が気体充填物１０の側面に備えられている。
【００１９】
気体充填物１０を形成する材料としては、伸縮性の殆ど無い材料から構成されており、最大限に気体を充填させた際の形状よりも膨らむことが無い材料である、ポリエチレン、ポリプロピレン、ポリエステル、ナイロン等のプラスチック等が選択される。その他にもポリ塩化ビニル、ポリオレフィン、フッ素樹脂等を使用しても良い。さらに、アルミニウムは赤外線を反射する性質を利用した省エネ効果を考慮して、アルミニウム蒸着ポリエステルが使用されることもある。また、ポリエステル以外から形成された気体充填物１０の外側表面にアルミニウムが蒸着されていても良い。アルミニウム以外にも赤外線を反射する性質を有するような物質を蒸着することもできるし、その他の様々な省エネ効果を生じる手段を講じることができる。
【００２０】
＜気体充填物の使用方法＞
図２は、気体充填物１０の使用方法を説明するための図である。本発明に係る気体充填物１０は、空気よりも比重の小さい気体（ヘリウム等）、又は空気を充填することにより、居住空間の容積を減少させるため天井側に浮遊させておく（又は天井側に設置する）空気よりも比重の小さい気体（または空気）を充填させるための気体充填物である。図２（ａ）は空気よりも比重の小さい気体を充填させる気体充填物１０の使用方法を説明するための図であり、図２（ｂ）は、空気を充填させる気体充填物１０の使用方法を説明するための図である。
【００２１】
図２（ａ）に記載したように、本発明に係る気体充填物１０と連結した線状部材３０が固定手段４０により居住空間の壁面下側部、又は床に固定されている。要するに、気体充填物１０を居住空間の容積を減少させるため天井側に浮遊させておくために気体充填物１０は、紐、ロープ、糸等と繋がっており、しかも、紐、ロープ、糸等は居住空間の壁面下側部、又は床に重石やフック等により固定されている。尚、気体充填物１０に空気を充填させる際は、図２（ｂ）に記載したように、壁面上側部や天井に気体充填物１０を直接両面テープ等で固定することになる。
【００２２】
＜気体充填物の効果＞
本発明に係る気体充填物１０は、居住空間の容積を減少させるため、空気よりも比重の軽いヘリウム等の気体を充填して（空気を充填させる際は、天井、または壁面上部に固定する手段を備えている）天井側に浮遊させておく気体充填物１０である。気体充填物１０は、伸縮性の殆ど無い材料から構成されており、最大限に気体を充填させた際の形状よりも膨らむことが無い。従って予め各部屋の天井や壁面の上部にフィットさせることで居住空間の容積を減少させることができるため、暖房効果を高めることができるようになった。
【００２３】
そして、気体充填物１０と連結した線状部材３０が、さらに、固定手段４０により居住空間の壁面下側部、又は床に固定されているため（空気を充填した気体充填物１０の場合は、一部分のみが両面テープ等の固定手段４０で緩く固定されているため）、例えば、浮遊している気体充填物１０を手で軽く押すことにより移動させて、棚から必要なものを取り出した後、元の位置に略自動的に復帰することができる。さらに、気体充填物１０は外側表面にアルミニウムが蒸着されている。アルミニウムは赤外線（熱線）を反射させる性質を有するため、より高い暖房効果を得ることができるようになった。
【００２４】
尚、本発明は居住空間の容積を小さくする（言い換えると、暖房器具等で暖めるべき空間を少なくする）ことで暖房器具等を使用した際の暖房効果を高めるため、居住空間の天井側に設置する気体充填物１０に関するものであるが、冷房器具等を使用した際の冷房効果を高めることは言うまでもない。
【００２５】
＜気体充填物の変更例＞
本発明に係る気体充填物１０は、上記した各実施形態の態様に何ら限定されるものではなく、気体注入口２０、線状部材３０、固定手段４０等の構成を、本発明の趣旨を逸脱しない範囲で、必要に応じて適宜変更することができる。
【産業上の利用可能性】
【００２６】
本発明に係る気体充填物は、上記の如く優れた効果を奏するものであるので、暖房器具（冷房器具も）等を使用した際の暖房効果（冷房効果）を高める気体充填物として好適に用いることができる。
【符号の説明】
【００２７】
１０・・気体充填物
２０・・気体注入口
３０・・線状部材
４０・・固定手段
【要約】      （修正有）【課題】部屋の中にいる人が圧迫感を感じることなく居住空間の容積を小さくすることで暖房効果を高めるため居住空間の天井側に設置する気体充填物を提供する。【解決手段】居住空間の容積を減少させるため天井部側に浮遊させておく、空気よりも比重の小さい気体を充填させるための気体充填物１０であって、任意の箇所に気体を抽入し、排出するための気体注入口２０を備えており、気体を充填させた時の形状が略直方体である気体充填物１０とした。かかる気体充填物１０は、予め各部屋の天井や壁面の上部にフィットさせることで居住空間の容積を減少させることができるため、暖房効果を高める。【選択図】図２【図１】
0006055124.tif 000002
【図２】
0006055124.tif 000003